(57)【特許請求の範囲】
【請求項１】
コークス炉の炭化室から押し出される赤熱コークスを消火車にガイドするケージを有するコークガイド車において、前記ケージの炉蓋枠側端面を下方がコークス炉から遠ざかる傾斜面とし、前記ケージの炉蓋枠側端部の上端部に設けられたコークス炉炉幅方向の炉幅方向軸と、前記ケージの炉蓋枠側端部で当該ケージに対してコークス炉炉幅方向に接触するように前記炉幅方向軸に回転自在に取付けられ且つ炉蓋枠に押し付けられたときに前記ケージからの赤熱コークスの落骸を抑制することができるコークス炉炉幅方向から見たとき下方の広い略扇形状又は略三角形状のケージ先端部と、前記ケージに設けられて前記ケージ先端部を炉蓋枠に近づける方向に弾性的に付勢する付勢機構と、前記ケージをコークス炉方向に押し出して前記ケージ先端部を炉蓋枠に押し付ける押し付け装置とを備えたことを特徴とするコークガイド車。
【発明の詳細な説明】
【技術分野】
【０００１】
本発明は、コークス炉の炭化室から押し出される赤熱コークスを消火車にガイドするケージを有するコークガイド車に関するものである。
【背景技術】
【０００２】
このようなコークガイド車としては、例えば下記特許文献１に記載されるものがある。このコークガイド車は、コークス炉の炉蓋枠に近づけたり遠ざけたりするためのガイドレールに車輪を介してケージを吊り下げ、その車輪を回転自在に保持する車輪保持部材は、ピンを介してガイドプレートと垂直な方向、つまり上下方向に回転可能にケージの支持枠に取付けられている。このコークガイド車によれば、所謂押し詰まり現象により高温の赤熱コークスが長時間にわたってケージ内に滞留し、熱によってケージの支持枠が変形した場合でも、支持枠に対して車輪保持部材が回転することにより、車輪保持部材の鉛直方向の傾きが一定に維持され、車輪が支持枠に接して円滑に走行できる。
【先行技術文献】
【特許文献】
【０００３】
【特許文献１】特開２００５−４２０３８号公報
【発明の概要】
【発明が解決しようとする課題】
【０００４】
ところで、コークス炉は使用期間が２０〜３０年と長く、その間、コークス押出しの際の応力などを受け続け、経年変化によって炉自体が変形する。老朽化したコークス炉では、炉体に取付けられた炉蓋枠の傾きや変形が著しく、炭化室から赤熱コークスが押し出される際のコークガイド車のケージとの隙間が大きくなるため、その隙間から多量の赤熱コークスが落下（落骸）する。これに対し、従来は多数の炭化室の炉蓋枠に概ね当接するようにケージの炉蓋枠側端部の形状を加工しているが、そうした加工は面倒であり、著しい炉蓋枠の傾きや変形には対応できないことから赤熱コークスの落骸を十分に抑制することができない。
【０００５】
本発明は、上記のような問題点に着目してなされたものであり、炉蓋枠の傾きや変形に対応してケージからの赤熱コークスの落骸を抑制することが可能なコークガイド車を提供することを目的とするものである。
【課題を解決するための手段】
【０００６】
上記課題を解決するために、本発明のコークガイド車は、コークス炉の炭化室から押し出される赤熱コークスを消火車にガイドするケージを有するコークガイド車において、炉蓋枠側端部の上端部に設けられたコークス炉炉幅方向軸回りに前記ケージ全体を回転自在に支持し且つ当該ケージ全体を上下方向に弾性的に支持する支持枠と、前記支持枠をケージごとコークス炉方向に押し出して前記ケージの炉蓋枠側端部を炉蓋枠に押し付ける押し付け装置とを備えたことを特徴とするものである。
【０００７】
また、コークス炉の炭化室から押し出される赤熱コークスを消火車にガイドするケージを有するコークガイド車において、前記ケージの炉蓋枠側端面を下方がコークス炉から遠ざかる傾斜面とし、前記ケージの炉蓋枠側端部の上端部に設けられたコークス炉炉幅方向の炉幅方向軸と、前記ケージの炉蓋枠側端部で当該ケージに対してコークス炉炉幅方向に接触するように前記炉幅方向軸に回転自在に取付けられ且つコークス炉炉幅方向から見たとき下方の広いケージ先端部と、前記ケージに設けられて前記ケージ先端部を炉蓋枠に近づける方向に弾性的に付勢する付勢機構と、前記ケージをコークス炉方向に押し出して前記ケージ先端部を炉蓋枠に押し付ける押し付け装置とを備えたことを特徴とするものである。
【０００８】
また、コークス炉の炭化室から押し出される赤熱コークスを消火車にガイドするケージを有するコークガイド車において、前記ケージの炉蓋枠側端部で当該ケージに対してコークス炉炉幅方向に接触するように上下方向に複数配設されたケージ先端部と、前記ケージに設けられて前記ケージ先端部を個々に炉蓋枠に近づける方向に弾性的に付勢する付勢機構と、前記ケージをコークス炉方向に押し出して前記ケージ先端部を炉蓋枠に押し付ける押し付け装置とを備えたことを特徴とするものである。
【発明の効果】
【０００９】
而して、本発明のコークガイド車によれば、炉蓋枠側端部の上端部に設けられたコークス炉炉幅方向軸回りに回転自在に且つ上下方向に弾性的にケージ全体を支持枠で支持し、押し出し装置によって支持枠をケージごとコークス炉方向に押し出してケージの炉蓋枠側端部を炉蓋枠に押し付ける構成としたため、炉蓋枠の傾きや変形に合わせてケージ全体が炉幅方向軸回りに回転してケージの炉蓋枠側端部が炉蓋枠に接触するので、ケージからの赤熱コークスの落骸を抑制することができる。
【００１０】
また、ケージの炉蓋枠側端面を下方がコークス炉から遠ざかる傾斜面とし、ケージの炉蓋枠側端部の上端部にコークス炉炉幅方向の炉幅方向軸を設け、コークス炉炉幅方向から見たとき下方の広いケージ先端部をケージの炉蓋枠側端部で当該ケージに対してコークス炉炉幅方向に接触するように炉幅方向軸に回転自在に取付け、ケージに設けられた付勢機構でケージ先端部を炉蓋枠に近づける方向に弾性的に付勢し、押し出し装置によってケージをコークス炉方向に押し出してケージ先端部を炉蓋枠に押し付ける構成としたため、炉蓋枠の傾きや変形に合わせてケージ先端部が炉幅方向軸回りに回転して当該ケージ先端部が炉蓋枠に接触するので、ケージからの赤熱コークスの落骸を抑制することができる。
【００１１】
また、ケージの炉蓋枠側端部で当該ケージに対してコークス炉炉幅方向に接触するようにケージ先端部を上下方向に複数配設し、ケージに設けられた付勢機構でケージ先端部を個々に炉蓋枠に近づける方向に弾性的に付勢し、押し出し装置によってケージをコークス炉方向に押し出してケージ先端部を炉蓋枠に押し付ける構成としたため、炉蓋枠の傾きや変形に合わせて複数のケージ先端部が個々に炉蓋枠に近づく方向又は遠ざかる方向に移動して当該ケージ先端部が炉蓋枠に接触するので、ケージからの赤熱コークスの落骸を抑制することができる。
【図面の簡単な説明】
【００１２】
【図１】コークガイド車の一例を示す全体構成の正面図である。
【図２】本発明のコークガイド車の第１実施形態を示す側面図である。
【図３】本発明のコークガイド車の第２実施形態を示す側面図である。
【図４】本発明のコークガイド車の第３実施形態を示す側面図である。
【図５】図４のコークガイド車の詳細図である。
【発明を実施するための形態】
【００１３】
次に、本発明のコークガイド車の実施形態について図面を参照しながら説明する。
図１は、コークガイド車の一例を示す全体構成の正面図である。このコークガイド車１は、図の横方向に敷設されたレール４に沿ってコークス炉の炉幅方向に移動する。周知のように、コークガイド車１は、コークス炉から押し出された（窯出しされた）赤熱コークスをコークガイド２で消火台車に導くものである。コークス炉には、７０〜８０窯程度の窯が炉幅方向に併設されており、コークガイド車１はコークス炉の炉幅方向に移動して赤熱コークスが押し出される（窯出しされる）窯の正面にコークガイド２をセットし、コークガイド２内のケージを押し出して炉蓋枠に当接する。なお、このコークガイド車１には、窯の炉蓋を取る蓋取り装置３が搭載されている。
【００１４】
図２は、本発明のコークガイド車の第１実施形態を示すケージの側面図であり、図の左方がコークス炉側であり、炉蓋枠側でもある。このケージ５はコークガイド車１のコークガイド２内に収納されており、押し出し装置であるシリンダ装置６によってコークス炉の炉蓋枠２０に押し付けられる。本実施形態のケージ５は、個別の支持枠７内に支持されており、支持枠７は、コークガイド２内に設けられた案内レール８に車輪９を介して吊り下げられており、シリンダ装置６によって支持枠７をケージ５ごとコークス炉側に押し出すと、案内レール８に沿って車輪９が回転して支持枠７及びケージ５がスムースに移動される。
【００１５】
支持枠７の炉蓋枠２０側端部の上端部には、コークス炉炉幅方向の炉幅方向軸１０が設けられており、この炉幅方向軸１０にケージ５の炉蓋枠２０側端部の上端部が回転自在に取付けられている。また、ケージ５の炉蓋枠２０側と反対側の端部の上端部及び下端部は、付勢機構であるスプリング１１によって弾性的に支持枠７に支持されている。
従って、押し出し装置であるシリンダ装置６によって支持枠７をケージ５ごとコークス炉方向に押し出すとケージ５の炉蓋枠２０側端部が炉蓋枠２０に押し付けられる。そのとき、炉蓋枠２０の傾きや変形に合わせてケージ５全体が炉幅方向軸１０回りに回転してケージ５の炉蓋枠２０側端部が炉蓋枠２０に接触するので、ケージ５からの赤熱コークスの落骸を抑制することができる。
【００１６】
図３は、本発明のコークガイド車の第２実施形態を示すケージの側面図であり、このケージ５はコークガイド車１のコークガイド２内に収納されており、押し出し装置であるシリンダ装置６によってコークス炉の炉蓋枠２０に押し付けられる。本実施形態のケージ５は、前記第１実施形態と同等の案内レール８に車輪９を介して直接的に吊り下げられており、ケージ５全体の支持枠はない。本実施形態では、ケージ５の炉蓋枠２０側端面は下方がコークス炉から遠ざかる傾斜面になっている。また、ケージ５の炉蓋枠２０側端部の上端部にコークス炉炉幅方向の炉幅方向軸１０が設けられており、この炉幅方向軸１０にケージ先端部１２が回転自在に取付けられている。ケージ先端部１２は、コークス炉炉幅方向から見たとき、つまり図２の紙面に向かって見たとき、下方が広がる扇形状又は三角形状となっており、且つケージ５の炉幅方向両端面に対してコークス炉炉幅方向に接触するように配置されている。また、ケージ５には、ケージ先端部１２を炉蓋枠２０に近づける方向に弾性的に付勢する付勢機構としてのスプリング１１が設けられている。
【００１７】
従って、押し出し装置であるシリンダ装置６によってケージ５をコークス炉方向に押し出すとケージ先端部１２が炉蓋枠２０に押し付けられる。そのとき、炉蓋枠２０の傾きや変形に合わせてケージ先端部１２が炉幅方向軸１１回りに回転して当該ケージ先端部１２が炉蓋枠２０に接触するので、ケージ５からの赤熱コークスの落骸を抑制することができる。
【００１８】
図４は、本発明のコークガイド車の第３実施形態を示す側面図であり、図５は、その詳細図であり、図５ａは、詳細側面図、図４５は、詳細背面図である。このケージ５はコークガイド車１のコークガイド２内に収納されており、押し出し装置であるシリンダ装置６によってコークス炉の炉蓋枠２０に押し付けられる。本実施形態のケージ５は、前記第１実施形態と同等の案内レール８に車輪９を介して直接的に吊り下げられており、ケージ５全体の支持枠はない。
【００１９】
本実施形態では、ケージ５の炉蓋枠２０側端部に小型のケージ先端部１２が上下方向に複数配設されている。このケージ先端部１２は、ケージ５の炉蓋枠２０側端部が分割されたように構成され、図５に示すように、個々に、ケージ５に対してコークス炉炉幅方向に接触するように且つコークス炉に近づいたり遠ざかったりする方向にスライド自在にケージ５に取付けられている。また、ケージ５には、個々のケージ先端部１２を炉蓋枠２０側に弾性的に付勢する付勢機構としてのスプリング１１が設けられている。
【００２０】
従って、押し出し装置であるシリンダ装置６によってケージ５をコークス炉方向に押し出すとケージ先端部１２が炉蓋枠２０に押し付けられる。そのとき、炉蓋枠２０の傾きや変形に合わせて複数のケージ先端部１２が個々に炉蓋枠２０に近づく方向又は遠ざかる方向に移動して当該ケージ先端部１２が炉蓋枠２０に接触するので、ケージ５からの赤熱コークスの落骸を抑制することができる。
【符号の説明】
【００２１】
１はコークガイド車
２はコークガイド
３は蓋取り装置
４はレール
５はケージ
６はシリンダ装置
７は支持枠
８は案内レール
９は車輪
１０は炉幅方向軸
１１はスプリング
１２はケージ先端部
２０は炉蓋枠
【図１】
0005919794.tif 000002
【図２】
0005919794.tif 000003
【図３】
0005919794.tif 000004
【図４】
0005919794.tif 000005
【図５】
0005919794.tif 000006